(57)【要約】【課題】各ＧＢを個別に利得一定制御できない、利得等化器の数の２倍のＧＢが必要となり、ＥＤＦＡの部品点数が多く、ＥＤＦＡが高価になる。【解決手段】ＧＢと、ＧＢの信号光入力段および出力段にそれぞれ設置された分岐と、ＧＢの利得スペクトル偏差を補正する損失スペクトルを有し、出力段に設置された分岐により分岐したＧＢからの出力光の信号光スペクトルを等化するモニタ用利得等化器と、モニタ用利得等化器の出力を入力とする受光器と、受光器のモニタ用利得等化器の出力に応じた受光レベルに基づいてＧＢの利得を一定制御する利得制御回路とを備えた第一の光増幅器を構成し、さらに、複数の第一の光増幅器の間に、利得等化器がそれぞれ設置された第二の光増幅器を構成する。【選択図】図３
2008153270.tif 000002
【特許請求の範囲】
【請求項１】
単一あるいは複数波長の信号光を光増幅するゲインブロックと、
前記ゲインブロックの信号光入力段および出力段にそれぞれ設置された分岐と、
前記ゲインブロックの利得スペクトル偏差を補正する損失スペクトルを有し、前記出力段に設置された分岐により分岐した前記ゲインブロックからの出力光の信号光スペクトルを等化するモニタ用利得等化器と、
前記モニタ用利得等化器の出力を入力とする受光器と、
前記受光器の前記モニタ用利得等化器の出力に応じた受光レベルに基づいて前記ゲインブロックの利得を一定制御する利得制御回路と
を備えた第一の光増幅器。
【請求項２】
前記モニタ用利得等化器に代えて、前記ゲインブロックの利得スペクトル偏差を補正する損失スペクトルを反転した損失スペクトル形状を有し、前記入力段に設置された分岐により分岐した前記ゲインブロックへの入力光の信号光レベルを等化する反転型モニタ用利得等化器を備えた請求項１記載の第一の光増幅器。
【請求項３】
複数の請求項１または２記載の第一の光増幅器の間に、利得等化器がそれぞれ設置された第二の光増幅器。
【請求項４】
前記利得等化器は、複数の請求項１または２記載の第一の光増幅器の総合利得のスペクトル偏差を等化する請求項３記載の第二の光増幅器。
【請求項５】
単一あるいは複数波長の信号光を光増幅する第一および第二のゲインブロックと、
前記第一および第二のゲインブロックの間に設置された利得等化器と、
前記第一および第二のゲインブロックおよび前記利得等化器からなる光回路の信号光入力段および出力段にそれぞれ設置された分岐と、
前記光回路の利得スペクトル偏差を補正する損失スペクトルを有し、前記出力段に設置された分岐により分岐した前記光回路からの出力光の信号光スペクトルを等化するモニタ用利得等化器と、
前記モニタ用利得等化器の出力を入力とする受光器と、
前記受光器の前記モニタ用利得等化器の出力に応じた受光レベルに基づいて前記光回路の利得を一定制御する利得制御回路と
を備えた第三の光増幅器。
【請求項６】
前記モニタ用利得等化器に代えて、前記光回路の利得スペクトル偏差を補正する損失スペクトルを反転した損失スペクトル形状を有し、前記入力段に設置された分岐により分岐した前記光回路への入力光の信号光レベルを等化する反転型モニタ用利得等化器を備えた請求項５記載の第三の光増幅器。
【請求項７】
請求項１または２記載の第一の光増幅器と請求項５または６記載の第三の光増幅器との間に利得等化器が設置された第四の光増幅器。
【請求項８】
前記利得等化器は、請求項１または２記載の第一の光増幅器および請求項５または６記載の第三の光増幅器の総合利得のスペクトル偏差を等化する請求項７記載の第四の光増幅器。
【請求項９】
請求項１または２記載の第一の光増幅器、または、請求項３または４記載の第二の光増幅器、または、請求項５または６記載の第三の光増幅器、または、請求項７または８記載の第四の光増幅器を、送信装置または中継装置に含む光通信システム。
【発明の詳細な説明】
【技術分野】
【０００１】
本発明は、信号光を光増幅する光ファイバ増幅器および光ファイバ通信システムに関する。
【背景技術】
【０００２】
従来技術の光ファイバ通信システムで用いられる光増幅器としてのエルビウム添加ファイバ増幅器（ＥＤＦＡ）の利得一定制御に関する構成を図１および図２に示す（例えば、非特許文献１または２参照）。
【０００３】
図１がエルビウム添加ファイバ（ＥＤＦ）ゲインブロック（以下ではＧＢと呼ぶ）を２つと、それらの中間段に利得等化器（ＧＥＱ）を１つ用いた構成、すなわちＧＢユニットが一つの構成、また、図２がＧＢユニットを２つ用いた構成を示している。ただし、ＧＢユニットは、２つのＧＢとそれらの中間段に設置した利得等化器とからなる。そこで、便宜上、図１の構成を１ＧＥＱ構成、図２の構成を２ＧＥＱ構成と呼ぶ。また、図１および図２の光部品４、１８は、分散補償ファイバ、可変減衰器、光スイッチなどである。
【０００４】
利得等化器３、１２、２１は、ＥＤＦＡの利得スペクトルを平坦化し、平坦な利得帯域を拡大するために用いられており、より大きなピーク損失の利得等化器を用いることによって、より広い利得帯域が得られることが知られている。しかしながら、１ＧＥＱ構成において、利得等化器３、１２、２１のピーク損失があまり大きくなると、ＥＤＦＡの雑音指数（ＮＦ）が劣化することがわかっている。
【０００５】
そこで、１ＧＥＱ構成に代えて、２ＧＥＱ構成を用いて、より広い利得帯域が得られることが知られている。また、各ＧＢユニットで、利得等化器３、１２、２１の前後にＧＢ２、５、１１、１３、２０、２２を設置する理由は、そのＧＢユニットを低ＮＦかつ高出力で動作させるためである。
【０００６】
ここで、ＧＢの利得スペクトルの例を図８に示す。図８は横軸に波長をとり、縦軸に利得をとる。ただし、このスペクトル形状は、わかり易さのため簡略化してある。１５５０ｎｍおよび１６００ｎｍにおける利得が１０ｄＢのとき、１５６０ｎｍにおける利得が１５ｄＢである。したがって、例えば、１５６０ｎｍにおけるピーク損失が５ｄＢの利得等化器を用いてこのＧＢの利得スペクトルを平坦化できる。
【０００７】
また、図１および図２のＥＤＦＡにおける利得一定制御は、一般に、各ＧＢユニット間において、入力信号光パワーと出力信号光パワーとを比較することにより行われている。すなわち、図１について説明すると、ＥＤＦＡへの入力光および出力光を、それぞれ前段および後段の分岐（それぞれ前段分岐１および後段分岐６）で分岐し、前段および後段の受光器（それぞれ前段受光器７および後段受光器９）で受光して入力および出力信号光パワーを得る。
【０００８】
その後、それらのパワーから、利得制御回路８において利得を算出し、前段および後段のＧＢ（それぞれ第一ＧＢ２および第二ＧＢ５）を所望の利得が得られるように一定制御する。この利得一定制御（ＡＧＣ）を用いた波長多重の光ネットワークシステムでは、特に、入力信号光のチャネル数およびチャネル配置が変わったときに、各ＷＤＭ波長において利得を一定に制御する。
【０００９】
上記の利得一定制御動作は、図２に関しても明らかに同様である。このとき、各ＧＢユニットは前段分岐１０、１９および後段分岐１４、２３の間で、最適動作において、利得スペクトルが平坦になるように設計されている。したがって、任意の入力信号光のチャネル数およびチャネル配置に対して各ＧＢユニットはＡＧＣ動作することができる。
【００１０】
【非特許文献１】Ｍａｓｕｄａ  ｅｔ  ａｌ．，Ｅｌｅｃｔｒｏｎ．Ｌｅｔｔ．，ｖｏｌ．３３，ｎｏ．１２，ｐｐ．１０７０−１０７１，１９９７
【非特許文献２】Ｍａｓｕｄａ  ｅｔ  ａｌ．，Ｅｌｅｃｔｒｏｎ．Ｌｅｔｔ．，ｖｏｌ．３４，ｎｏ．６，ｐｐ．５６７−５６８，１９９８
【発明の開示】
【発明が解決しようとする課題】
【００１１】
上記従来技術においては、各ＧＢを個別に利得一定制御できない。また、利得等化器の数の２倍のＧＢが必要となり、ＥＤＦＡの部品点数が多く、ＥＤＦＡが高価になるといった欠点がある。
【００１２】
すなわち、従来技術の利得一定制御動作では、利得制御回路において、制御の利得を算出するフィードバック制御を行うため、例えば、ＧＢ−１は一定の励起光パワーレベルで励起し、ＧＢ−２の利得を、ＥＤＦＡの利得が一定になるように制御する。そのため、ＧＢ−１の利得は、ＥＤＦＡへの入力信号光パワーレベルに応じて変化するという欠点がある。
【００１３】
本発明は、このような背景の下に行われたものであって、従来技術で問題であった、各ＧＢを個別に利得一定制御できない、また、利得等化器の数の２倍のＧＢが必要となり、ＥＤＦＡの部品点数が多く、ＥＤＦＡが高価になるといった欠点を解決することができる光増幅器および光通信システムを提供することを目的とする。
【課題を解決するための手段】
【００１４】
本発明は、単一あるいは複数波長の信号光を光増幅するＧＢと、前記ＧＢの信号光入力段および出力段にそれぞれ設置された分岐と、前記ＧＢの利得スペクトル偏差を補正する損失スペクトルを有し、前記出力段に設置された分岐により分岐した前記ＧＢからの出力光の信号光スペクトルを等化するモニタ用利得等化器と、前記モニタ用利得等化器の出力を入力とする受光器と、前記受光器の前記モニタ用利得等化器の出力に応じた受光レベルに基づいて前記ＧＢの利得を一定制御する利得制御回路とを備えた光増幅器である。
【００１５】
あるいは、前記モニタ用利得等化器に代えて、前記ＧＢの利得スペクトル偏差を補正する損失スペクトルを反転した損失スペクトル形状を有し、前記入力段に設置された分岐により分岐した前記ＧＢへの入力光の信号光レベルを等化する反転型モニタ用利得等化器を備えてもよい。これらを第一の光増幅器と呼ぶ。
【００１６】
さらに、複数の第一の光増幅器の間に、利得等化器がそれぞれ設置された光増幅器を構成することができる。前記利得等化器は、複数の第一の光増幅器の総合利得のスペクトル偏差を等化することができる。これを第二の光増幅器と呼ぶ。
【００１７】
本発明では、従来のように、複数のＧＢユニット間における入力信号光パワーと出力信号光パワーとを比較する必要はないので、各ＧＢを個別に利得一定制御できる。また、利得等化器の数も従来の半分となり、ＥＤＦＡの部品点数が多く、ＥＤＦＡが高価になるといった欠点を解決することができる。
【００１８】
あるいは、本発明の光増幅器は、単一あるいは複数波長の信号光を光増幅する第一および第二のＧＢと、前記第一および第二のＧＢの間に設置された利得等化器と、前記第一および第二のＧＢおよび前記利得等化器からなる光回路の信号光入力段および出力段にそれぞれ設置された分岐と、前記光回路の利得スペクトル偏差を補正する損失スペクトルを有し、前記出力段に設置された分岐により分岐した前記光回路からの出力光の信号光スペクトルを等化するモニタ用利得等化器と、前記モニタ用利得等化器の出力を入力とする受光器と、前記受光器の前記モニタ用利得等化器の出力に応じた受光レベルに基づいて前記光回路の利得を一定制御する利得制御回路とを備えた構成とすることもできる。
【００１９】
また、前記モニタ用利得等化器に代えて、前記光回路の利得スペクトル偏差を補正する損失スペクトルを反転した損失スペクトル形状を有し、前記入力段に設置された分岐により分岐した前記光回路への入力光の信号光レベルを等化する反転型モニタ用利得等化器を備えてもよい。これらを第三の光増幅器と呼ぶ。
【００２０】
また、前記第一の光増幅器と前記第三の光増幅器との間に利得等化器が設置された光増幅器を構成することもできる。このときに、前記利得等化器は、第一の光増幅器および第三の光増幅器の総合利得のスペクトル偏差を等化することができる。
【００２１】
また、本発明の光増幅器を、送信装置または中継装置に含む光通信システムを本発明の別の観点とすることもできる。
【発明の効果】
【００２２】
本発明によれば、各ＧＢを個別に利得一定制御でき、また、従来と比べて、ＥＤＦＡの部品点数を少なくでき、ＥＤＦＡを低廉に構成することができる。
【発明を実施するための最良の形態】
【００２３】
（第一実施例）
本発明第一実施例における光増幅器の構成を図３に示した。図１の従来技術とは以下の点が主に異なる。すなわち、本実施例では各ＧＢで利得一定制御を行っている。その利得一定制御動作を第一ＧＢ３１について示すと、まず、第一ＧＢ３１の前段および後段に前段分岐３０および後段分岐３２を設置している。
【００２４】
そして、後段分岐３２と後段受光器３５との間にモニタ用利得等化器３６を設置している。このモニタ用利得等化器３６の損失スペクトルは、第一ＧＢ３１の利得スペクトルの非平坦性を等化するものである。したがって、後段受光器３５で受光した信号光パワーと前段受光器３３で受光した信号光パワーとの差は、入力信号光の波長配置によらず、第一ＧＢ３１の平坦化利得に等しい。
【００２５】
すなわち、入力信号光の波長配置によらず、第一ＧＢ３１の平坦化利得を検出して制御できる。上記動作は明らかに第二ＧＢ４０についても成り立つ。ただし、第二ＧＢ４０で用いたモニタ用利得等化器をモニタ用利得等化器４５とする。ただし、各ＧＢ３１、４０は、利得媒質とそれを励起する励起回路を有する。また、光増幅器の種類としては、希土類添加ファイバ増幅器、ファイバラマン増幅器、半導体増幅器などがある。
【００２６】
一方、本実施例では、第一ＧＢ３１および第二ＧＢ４０の利得等化後の平坦利得をともに１５ｄＢ、光部品３８の波長無依存損失を１０ｄＢ、ＥＤＦＡ全体の平坦利得を２０ｄＢとする。
【００２７】
図９に第一ＧＢ３１および第二ＧＢ４０の利得スペクトルを示す。図９は横軸に波長をとり、縦軸に利得をとる。それらは同じスペクトルであるため、グラフの線は一本に見えるが二つのスペクトルが重なっている。また、図１０に利得等化器３７の損失スペクトルを示す。図１０は横軸に波長をとり、縦軸に利得等化器１０の損失をとる。ただし、説明を簡単にするために、この利得等化器３７の波長無依存損失は０ｄＢとした。一方、モニタ用利得等化器３６および４５の損失スペクトルを図１１に示した。図１１は横軸に波長をとり、縦軸にモニタ用利得等化器損失をとる。それらは同じスペクトルであるため、グラフの線は一本に見えるが二つのスペクトルが重なっている。
【００２８】
ただし、第一ＧＢ３１へのチャネル当りの入力信号光パワーおよびチャネル数が一定であれば、第一ＧＢ３１に対する前段分岐３０および前段受光器３３を省略でき、後段受光器３５の受光レベルを一定にすることによりＡＧＣ動作できる。
【００２９】
上記のように、本実施例では、モニタ用利得等化器３６および４５を用いて、それぞれ第一ＧＢ３１および第二ＧＢ４０を個別に一定制御でき、前述の従来技術の欠点を解決できる。
【００３０】
（第二実施例）
本発明第二実施例における光増幅器の構成を図４に示した。図３の第一実施例とは以下の点が主に異なる。すなわち、第一実施例では後段分岐３２、４１と後段受光器３５、４４との間に、モニタ用利得等化器３６または４５を設置しているが、本実施例では、反転型モニタ用利得等化器５３および６２を、前段分岐５０、５９と前段受光器５４、６３との間に設置する。
【００３１】
第一ＧＢ５１および第二ＧＢ６０に対する反転型モニタ用利得等化器を反転型モニタ用利得等化器５３および６２とする。それら反転型モニタ用利得等化器５３および６２の損失スペクトルを図１２に示した。図１２は横軸に波長をとり、縦軸に反転型モニタ用利得等化器損失をとる。それらは同じスペクトルであるため、グラフの線は一本に見えるが二つのスペクトルが重なっている。すなわち、反転型モニタ用利得等化器５３および６２の損失スペクトルは、モニタ用利得等化器３６および４５の損失スペクトルを上下反転し、最低損失値を０ｄＢとしたものである。
【００３２】
本実施例の利得一定制御動作を第一ＧＢ５１について示す。第一実施例の場合と同様に、後段受光器５６で受光した信号光パワーと前段受光器５４で受光した信号光パワーとの差は、入力信号光の波長配置によらず、一定値を除き、第一ＧＢ５１の平坦化利得に等しい。すなわち、入力信号光の波長配置によらず、第一ＧＢ５１の平坦化利得を検出および制御できる。
【００３３】
上記のように、本実施例では、反転型モニタ用利得等化器５３および６２を用いて、それぞれ第一ＧＢ５１および第二ＧＢ６０を個別に一定制御でき、前述の従来技術の欠点を解決できる。
【００３４】
（第三実施例）
本発明第三実施例における光増幅器の構成を図５に示した。図２の従来技術とは以下の点が主に異なる。すなわち、２つの利得等化器７７および８６に対し、従来技術ではＧＢの数が４であるが、本実施例ではＧＢの数が３である。すなわち、２つの利得等化器７７および８６で３つのＧＢ７１、７９、８８の利得偏差すなわち非平坦性を等化している。このとき、第一ＧＢ７１の１５５０ｎｍおよび１６００ｎｍにおける利得を１０ｄＢとする。このときの利得スペクトルは図７と同じである。また、第二ＧＢ７９および第三ＧＢ８８の利得も第一ＧＢ７１の利得と同じとする。
【００３５】
本実施例では、従来技術と異なり、利得等化器７７および８６のピーク損失値は各ＧＢ７１、７９、８８の利得とは独立に任意の値に設定できる。第一の例としては、利得等化器７７および８６のピーク損失値をともに７．５ｄＢとする。このときの利得等化器７７および８６の損失スペクトルを図１３に示した。図１３は横軸に波長をとり、縦軸に利得等化器損失をとる。それらは同じスペクトルであるため、グラフの線は一本に見えるが二つのスペクトルが重なっている。また、第二の例としては、利得等化器７７および８６のピーク損失値をそれぞれ５ｄＢおよび１０ｄＢとしてもよい。すなわち、利得等化器７７および８６のピーク損失値を、ＥＤＦＡの構成および動作に応じて最適化できるという利点がある。
【００３６】
一方、従来技術では、２つのＧＢと１つの利得等化器とが組になっており、その２つのＧＢの総合利得偏差を、その利得等化器の損失偏差で等化している。したがって、利得等化器の損失スペクトルは、組み合わせに用いた２つのＧＢの総合利得偏差で一意的に決まってしまう。
【００３７】
また、本実施例におけるモニタ用利得等化器７６、８４、９３のピーク損失は、上記各ＧＢ７１、７９、８８の利得偏差から、ともに５ｄＢとなる。そのピーク損失スペクトルを図１４に示した。図１４は横軸に波長をとり、縦軸にモニタ用利得等化器損失をとる。それらは同じスペクトルであるため、グラフの線は一本に見えるが三つのスペクトルが重なっている。
【００３８】
上記のように、本実施例では、ＧＢの数を低減でき、前述の従来技術の欠点を解決できる。
【００３９】
また、モニタ用利得等化器７６、８４、９３に代えて、図４（第二実施例）で説明した反転型モニタ用利得等化器を前段分岐７０、７８、８７と前段受光器７３、８１、９０との間にそれぞれ設けてもよい。
【００４０】
（第四実施例）
本発明第四実施例における光増幅器の構成を図６に示した。第三実施例とは以下の点が主に異なる。すなわち、第三実施例では第一ＧＢ７１および第二ＧＢ７９を個別に利得一定制御しているが、本実施例では、第一ＧＢ１０１および第二ＧＢ１０３をまとめて利得一定制御している。本実施例では、第一ＧＢ１０１の前段に前段分岐１００を、第二ＧＢ１０３の後段に後段分岐１０４を設置し、第一ＧＢ１０１および第二ＧＢ１０３に対する利得制御回路１０６で第一ＧＢ１０１および第二ＧＢ１０３を制御している。
【００４１】
本実施例では、第一ＧＢ１０１および第二ＧＢ１０３は、まとめて利得一定制御しているが、第三ＧＢ１１２は個別に利得一定制御している。
【００４２】
第一ＧＢ１０１および第二ＧＢ１０３に対するモニタ用利得等化器１０８の損失スペクトルを図１５に示す。図１５は横軸に波長をとり、縦軸にモニタ用利得等化器損失をとる。モニタ用利得等化器１０８および利得等化器１０２の総合損失は、第一ＧＢ１０１および第二ＧＢ１０３の総合利得を等化する。第一ＧＢ１０１および第二ＧＢ１０３の総合利得のスペクトル偏差が１０ｄＢ、利得等化器１０２の損失のスペクトル偏差が７．５ｄＢであるから、モニタ用利得等化器１０８の損失のスペクトル偏差は、差し引き２．５ｄＢとなる。
【００４３】
本実施例は、第三実施例より構成部品点数が少ないという利点を有する。すなわち、本実施例により、利得等化器の数の２倍のＧＢが必要となり、ＥＤＦＡの部品点数が多く、ＥＤＦＡが高価になるといった、前述の従来技術の欠点を解決できる。
【００４４】
また、モニタ用利得等化器１０８、１１７に代えて、図４（第二実施例）で説明した反転型モニタ用利得等化器を前段分岐１００、１１１と前段受光器１０５、１１４との間にそれぞれ設けてもよい。
【００４５】
（第五実施例）
本発明第五実施例における光増幅器の構成を図７に示した。本実施例では、第一実施例における各ＧＢ３１、４０の利得一定制御系の構成を、より具体的に示したものである。すなわち、本実施例では、光増幅器の利得媒質として、エルビウム添加ファイバ（ＥＤＦ）１２２を用いており、そのＥＤＦ１２２の前段および後段に、信号光と励起光の合波器（それぞれ前段合波器１２１および後段合波器１２３）を設置している。
【００４６】
前記励起光は、前段合波器１２１および後段合波器１２３にそれぞれ接続した励起光源（それぞれ前段励起光源１２８および後段励起光源１２９）から出射する。前段励起光源１２８および後段励起光源１２９は、それらに隣接した利得制御回路１２６で制御される。
【００４７】
本発明の第一〜第四実施例は、その動作から明らかであるが、上記ＥＤＦを用いた光増幅器、すなわちＥＤＦＡでもよいし、他の希土類添加ファイバ増幅器、ファイバラマン増幅器、および半導体増幅器でもよい。
【産業上の利用可能性】
【００４８】
本発明によれば、従来技術で問題であった、各ＧＢを個別に利得一定制御できない、また、利得等化器の数の２倍のＧＢが必要となり、ＥＤＦＡの部品点数が多く、ＥＤＦＡが高価になるといった欠点を解決できるので、安価であり構成の簡単な光増幅器および光通信システムを実現できる。
【図面の簡単な説明】
【００４９】
【図１】従来の光増幅器の構成図（その１）。
【図２】従来の光増幅器の構成図（その２）。
【図３】第一実施例の光増幅器の構成図。
【図４】第二実施例の光増幅器の構成図。
【図５】第三実施例の光増幅器の構成図。
【図６】第四実施例の光増幅器の構成図。
【図７】第五実施例の光増幅器の構成図。
【図８】従来のＥＤＦＧＢの利得スペクトル例を示す図。
【図９】第一実施例におけるＥＤＦＧＢの利得スペクトルを示す図。
【図１０】第一実施例における利得等化器損失スペクトルを示す図。
【図１１】第一実施例におけるモニタ用利得等化器損失スペクトルを示す図。
【図１２】第二実施例における反転型モニタ用利得等化器損失スペクトルを示す図。
【図１３】第三実施例における利得等化器損失スペクトルを示す図。
【図１４】第三実施例におけるモニタ用利得等化器損失スペクトルを示す図。
【図１５】第四実施例におけるモニタ用利得等化器損失スペクトルを示す図。
【符号の説明】
【００５０】
１、１０、１９、３０、３９、５０、５９、７０、７８、８７、１００、１１１、１２０  前段分岐
２、１１、３１、５１、７１、１０１  第一ＧＢ
３、１２、２１、３７、５７、７７、８６、１０２、１１０  利得等化器
４、１８、３８、５８、８５、１０９  光部品
５、１３、４０、６０、７９、１０３  第二ＧＢ
６、１４、２３、３２、４１、５２、６１、７２、８０、８９、１０４、１１３、１２４  後段分岐
７、１５、２４、３３、４２、５４、６３、７３、８１、９０、１０５、１１４、１２５  前段受光器
８、１６、２５、３４、４３、５５、６４、７４、８２、９１、１０６、１１５、１２６  利得制御回路
９、１７、２６、３５、４４、５６、６５、７５、８３、９２、１０７、１１６、１２７  後段受光器
２０、８８、１１２  第三ＧＢ
２２  第四ＧＢ
３６、４５、７６、８４、９３、１０８、１１７、１３０  モニタ用利得等化器
５３、６２  反転型モニタ用利得等化器
１２１  前段合波器
１２２  ＥＤＦ
１２３  後段合波器
１２８  前段励起光源
１２９  後段励起光源
【図１】
2008153270.tif 000003
【図２】
2008153270.tif 000004
【図３】
2008153270.tif 000005
【図４】
2008153270.tif 000006
【図５】
2008153270.tif 000007
【図６】
2008153270.tif 000008
【図７】
2008153270.tif 000009
【図８】
2008153270.tif 000010
【図９】
2008153270.tif 000011
【図１０】
2008153270.tif 000012
【図１１】
2008153270.tif 000013
【図１２】
2008153270.tif 000014
【図１３】
2008153270.tif 000015
【図１４】
2008153270.tif 000016
【図１５】
2008153270.tif 000017